(57)【要約】      （修正有）【課題】バックルの重量を減らして製造費用を少なくするだけでなくユーザに対するより快適性を提供する。【解決手段】  バックルが雄部と雌部からなり、雌部が頂面と、底面および雄部を受容する凹所を有している。雄部が雌部に嵌合して、バックルの二つの部分を一緒にロックする。雌部の少なくとも一つが、雌部の残りと同じ材料で一体的にモールドされたスクリーンで形成され、雌部の厚みよりも薄い厚みを有している。スクリーンがバックルの重量を減らしている。【選択図】  図１
2005144143.tif 000002
【特許請求の範囲】
【請求項１】
バックルであって、
雄部と；
頂面、底面および雄部を受容するための凹所を有する雌部と；
を備え、
雄部が雌部に嵌合して、該バックルの二つの部分を一緒にロックするように適用されており；
雌部の少なくとも一つの面の少なくとも一部が、雌部の残りの部分と同じ材料で作られたスクリーンで形成されているバックル。
【請求項２】
前記少なくとも一つの面の下方に沿って配備されたリブをさらに備え、前記リブがスクリーンを横切って延長し、スクリーンを含んでいるバックルの一部を支持している請求項１に記載のバックル。
【請求項３】
頂面および底面の各々の下方に配備された二つのリブがあり、前記リブが互いに対面し、長手方向に延長しており、雄部が雌部に挿入されたときに、雄部のための案内部として作用する請求項２に記載のバックル。
【請求項４】
スクリーンが、このスクリーンを含んでいる面の厚みよりも大きい厚みを有するリブによって取り巻かれている請求項１に記載のバックル。
【請求項５】
雄部と雌部の少なくとも一つに連結された少なくとも一つのストラップ・アタッチメント・バーをさらに備えている請求項１に記載のバックル。
【請求項６】
スクリーンが複数のクロス・バーを含み、バー間に実質的に均一に隔置された一連のホールを規定している請求項１に記載のバックル。
【請求項７】
該バックルがサイドリリース式バックルであり、雄部が二つのリリース・タブを有し、雄部を雌部にロックし、リリース・タブを押圧して雄部を雌部から放出させる請求項１に記載のバックル。
【請求項８】
頂面および底面両者がスクリーンを有している請求項１に記載のバックル。
【請求項９】
スクリーンが雌部に一体形成されている請求項１に記載のバックル。
【発明の詳細な説明】
【技術分野】
【０００１】
本発明はスクリーンの一体形成された部分を有するバックルであって、その強度および耐久性を減じることなく軽量にしたバックルに関する。
【背景技術】
【０００２】
バックルの製造において、その強度を低下させることなく重量を軽くすることが目標とされる。一つのこの種のバックルは、ランドステッドによる米国特許第５，９２６，９２８号があり、バックルの雌部の上面および下面両方上に複数の通気孔を有する一般的なサイドリリース式バックルを開示している。これらの通気孔は重量を減じるとともにバックルに空気を通すこともできる。
【０００３】
しかし、このタイプのバックルの欠点は、通気孔がバックルの完全生を損なうとともにその強度と耐久性が低下することである。通気孔があるために、雌部への反復張力がこの部分への損傷をより受けやすくしている。
【特許文献１】米国特許第５，９２６，９２８号
【発明の開示】
【発明が解決しようとする課題】
【０００４】
従って、本発明の目的は重量を減じ、しかも同様のタイプのバックルから強度および耐久性を低下させないバックルを提供することである。
【０００５】
本発明の別の目的は、製造上簡単、かつ、安価であるだけでなく、外観が魅力的であるこの種のバックルを提供することでる。
【発明を実施するための最良の形態】
【０００６】
これらの目的および他の目的は、雄部と雌部を備え、雌部が頂面、底面および雄部を受容する凹所を有する本発明に基づくバックルによって達成される。雄部は雌部にスナップ式に適用され、バックルの二つの部分を一緒にロックする。雌部の少なくとも一つの面が雌部の残りの部分と同じ材料で作られたスクリーンから形成され、またその厚みは雌部の厚み未満である。このスクリーンは複数のクロス・バーで作られ、バーとバーとの間に一連の実質的に均一間隔でホールを規定している。
【０００７】
好ましい実施例において、両面のうち少なくとも一方の下方に沿ってリブが配備されている。このリブはスクリーンを横切って延長し、スクリーンを含んでいるバックルの部分を支持している。より好ましくは、二つのリブが頂面と底面の各々の下方に配備され、前記リブが互いに対面するとともに長手方向に延長し、また雄部が雌部に挿入されたときに、雄部のための案内部として作用することである。
【０００８】
スクリーンはこのスクリーンを含む面の厚みよりも大きい厚みを有する付加的なリブによって取り巻かれているのが好ましい。これがバックルの重量を目立って増やすことなしにその付加的な強度を加えることになる。
【０００９】
少なくとも一つのストラップ・アタッチメント・バーが雄部と雌部の少なくとも一つに連結され、バックルをストラップに連結しているのが好ましい。
【００１０】
好ましい実施例において、バックルはサイドリリース式のバックルであって、雄部が二つのリリース・タブを備えており、これが雌部の二つのロッキング・スロットに嵌め込まれ、雄部を雌部にロックし、またリリース・タブが押圧されて雄部が雌部から放出される。しかし、中央プッシュ式バックルのような他のタイプのバックルも使用可能である。
【００１１】
雌部にスクリーンを設けることによって、バックルの重量を１５〜２０％程度だけ軽くすることができる。これがユーザに対する快適さを高めるとともに、プラスチックの必要量が減るために、製造コストが低下する。
【００１２】
本発明の他の目的および特徴は、添付図面に関連する次なる詳細な説明から明白となろう。しかし、図面は図示を目的とするだけで、本発明の限定を規定するものではないことを理解されるべきである。
【００１３】
図中、同様の参照符号は全図を通して同様の要素を示すものとする。
【００１４】
ここで図面、特に図１および図２を詳細に参照すると、図は本発明に基づくバックル１の好ましい実施例を示す。バックル１は雌部１０と雄部２０からなる。雄部２０は雌部２０の内部凹所内に嵌合され、二つの部分が一緒にロックされる。
【００１５】
雌部１０の頂面と底面がスクリーン１１のセクションを有している。図３と図４に示したように、スクリーン１１は雌部１０の厚みよりも実質的に薄い厚みを有している。好ましい実施例において、バックル１はスクリーンのない同様のバックルよりも約１５〜２０％重量が軽い。
【００１６】
スクリーン１１は、複数のクロスハッチ・バー１３から形成され、バー間に均一間隔で配置された複数のアパーチャ１４を有している。請求項１に記載のバックルは、さらに前記少なくとも一つの面の下方に沿って配備されたリブからなり、前記リブがスクリーンを横切って延長し、スクリーンを含んでいるバックルの一部を支持している。
【００１７】
図３に示すように、頂面と底面の各々の下方に配備された二つのリブ１６がある。リブは互いに対面し、長手方向に延長するとともに、雄部２０が雌部１０に挿入されたときに、雄部２０のための案内部として作用する。リブ１６はスクリーン１１を付加的に支持する働きをし、重量を実質的に付加することなしにバックル１の強度と耐久性を増大するのに役立つ。
【００１８】
スクリーン１１を取り巻いているリブ１７がある。このリブ１７はスクリーン１１の厚みよりも厚く、スクリーン１１を付加的に支持する作用をしており、これによってバックル１は十分な付加的な強度と耐久性を有することになる。雌部１０は一つの部分に一体形成され、ポイエチレンまたはアセタール樹脂のような強固な耐久性プラスチック材料で一体形成されるのが好ましい。
【００１９】
図４からわかるように、スクリーン１１は雌部１０の残りの部分の厚みよりも実質的に薄い厚みを有している。
【００２０】
バックル１において、雌部および雄部それぞれのストラプ・アタッチメント・バー１９、２１、２２がバックル１を多様なストラップに固定する。
【００２１】
バックル１は一般的なサイドリリース式バックルであって、雄部２０が二つのリリース・タブ２５を有していて、雌部１０の二つのロッキング・スロット１８内に嵌合し、雄部２０を雌部１０にロックしている。リリース・タブ２５を押圧することによって雄部２０を雌部１０から放出する。別の方法として、異なるタイプのバックルでは単一部分バックル、または中央プッシュ式バックルのようなスクリーン部を備えることもできる。バックル１０において、スクリーン１１は雌部１０の頂面と底面両方に配備されている。しかし、スクリーン１１は単一面に同様に配備することもできる。
【００２２】
従って、本発明の単一の実施例のみを示して説明したが、多数の変形例および修正例も本発明の概念および範囲から逸脱することなく可能である。
【図面の簡単な説明】
【００２３】
【図１】ロック状態にあるバックルの斜視図である。
【図２】図１のバックルの平面図である。
【図３】図２の線ＩＩＩ−ＩＩＩから見たバックルの雌部の側部断面図である。
【図４】図３の線ＩＶから見た拡大詳細図である。
【符号の説明】
【００２４】
１  バックル
１０  雌部
１１  スクリーン
１３  クロスハッチ・バー
１４  アパーチャ
１６、１７  リブ
１９、２１、２２  ストラップ・アタッチメント・バー
２０  雄部
【図１】
2005144143.tif 000003
【図２】
2005144143.tif 000004
【図３】
2005144143.tif 000005
【図４】
2005144143.tif 000006